(57)【特許請求の範囲】
【請求項１】
ダクトを接続するための接続口体を備え、被取付け部位に取付け固定される排気カセットと、
この排気カセットに取付けられ、排気カセットの上記接続口体と連通する排気開口部を有し、送風機を内設した本体枠と、を具備した換気扇取付け装置において、
上記排気カセットは、平面視で矩形状の側面部から形成されるとともに、この側面部上端縁に凹状に切欠される引掛け部および、側面部下端に全周に繋がるフランジ部を備え、
上記本体枠に、排気カセットの引掛け部と対向して掛止用孔を設け、
上記排気カセットに対して本体枠を着脱自在に取付ける取付け部材を備え、
上記取付け部材は、ばね材からなり、上記本体枠の掛止用孔を介して上記排気カセットの引掛け部に掛脱自在に挿入される突出部と、本体枠のフランジ部に掛止される補助爪部および、上記本体枠のフランジ部下面から突出する長さであり、本体枠を排気カセットから取外し操作するための手掛け部を有し、
上記本体枠のフランジ部下面における、上記取付け部材の手掛け部の両側部位に、手掛け部よりも下方に突出する長さの支持脚が設けられる
ことを特徴とする換気扇取付け装置。
【請求項２】
ダクトを接続するための接続口体を備え、被取付け部位に取付け固定される排気カセットと、この排気カセットに取付けられ、排気カセットの上記接続口体と連通する排気開口部を有し、送風機を内設した本体枠と、を具備した換気扇取付け装置において、
上記排気カセットは、平面視で矩形状の側面部から形成されるとともに、この側面部上端縁に凹状に切欠される引掛け部および、側面部下端に全周に繋がるフランジ部を備え、
上記本体枠に、排気カセットの引掛け部と対向して掛止用孔を設け、
上記排気カセットに対して本体枠を着脱自在に取付ける取付け部材を備え、
上記取付け部材は、ばね材からなり、上記本体枠の掛止用孔を介して上記排気カセットの引掛け部に掛脱自在に挿入される突出部と、本体枠のフランジ部に掛止される補助爪部を備え、
上記取付け部材に、上記本体枠のフランジ部下面から突出する長さであり、本体枠を排気カセットから取外し操作するための解除用金具が設けられ、
上記本体枠のフランジ部下面における、上記解除用金具の両側部位に、解除用金具よりも下方に突出する長さの支持脚が設けられることを特徴とする換気扇取付け装置。
【請求項３】
上記取付け部材に、上記解除用金具の許容操作範囲を規制するストッパ部が設けられることを特徴とする請求項２記載の換気扇取付け装置。
【請求項４】
上記取付け部材は、略Ｌ字状をなし、その曲げ角は鋭角状であることを特徴とする請求項１および請求項２のいずれかに記載の換気扇取付け装置。
【請求項５】
上記本体枠は、上記取付け部材との対向部位に手添え部が設けられることを特徴とする請求項１ないし請求項４のいずれかに記載の換気扇取付け装置。
【請求項６】
上記排気カセットのフランジ部外周端が、上記本体枠のフランジ部外周端より外方へ突出されることを特徴とする請求項１ないし請求項５のいずれかに記載の換気扇取付け装置。
【請求項７】
上記本体枠のフランジ部で、取付け部材の近傍部位に凹部が設けられ、この凹部から排気カセットのフランジ部が部分的に露出されることを特徴とする請求項１ないし請求項６のいずれかに記載の換気扇取付け装置。
【発明の詳細な説明】
【０００１】
【発明の属する技術分野】
本発明は、たとえば天井に取付けられる換気扇に係り、特にその着脱作業の施工性を改善した換気扇取付け装置に関する。
【０００２】
【従来の技術】
一般的に、厨房室に取付けられる換気扇は室の壁面にフードとともに取付けられるのに対して、居間などに取付けられる換気扇は美観の保持のために天井に取付けられることが多い。
【０００３】
すなわち、天井板に開口部を設けて換気扇装置を嵌め込み、天井裏に突出させる。上記開口部は吸引用の隙間を存して化粧板で全面的に覆われ、天井を見上げた状態で開口部と換気扇自体が目立つことがない。
【０００４】
天井裏に突出する部分にダクト用の接続口体が突設され、ここにダクトの一端部が接続される。上記ダクトの他端部は家屋外壁に設けられる開口部に嵌め込まれていて、換気扇装置内に吸込んだ室内空気をダクトを介して外部へ排気するようになっている。
【０００５】
【発明が解決しようとする課題】
このような換気扇装置自体の換気機能としては何ら問題がなく万全であるが、装置を所定部位に取付ける際の取付け施工性と、メンテナンスなど必要に応じて取外す際の作業性に問題があった。
【０００６】
すなわち、換気扇装置の取付けにあたって、作業者は天井板に設けられる開口部に下部側から装置を差し込み、片方の手で装置フランジ部を天井板に押付けるようにして保持する。この状態のまま、片方の手で取付け具である木ねじをフランジ部に設けられる取付け用孔に差し込み、さらにドライバなどの取付け工具を用いて木ねじを締め付ける。
【０００７】
すでに、送風機が取付けられていて装置が一体に組立てられているから、ある程度の重量があり、これを下部側から押し上げて落下を防止しながら取付け工具を使わなければならないので、極めて取付け施工性が悪い。
【０００８】
また、メンテナンスのために換気扇装置を天井板から取り外す際にも、片手で装置を支えて落下を防止した状態で、残りの片方の手で木ねじを取外さなければならず、ここでも作業性が悪いものである。
【０００９】
本発明は上記事情に着目してなされたものであり、その目的とするところは、被取付け部位に対する取付け作業と取外し作業がごく簡単に行えて作業施工性の向上を図り、確実な取付け固定をなして信頼性の向上を得る換気扇取付け装置を提供しようとするものである。
【００１０】
【課題を解決するための手段】
上記目的を満足するため本発明の換気扇取付け装置は、ダクトを接続するための接続口体を備え被取付け部位に取付け固定される排気カセットと、この排気カセットに取付けられ排気カセットの接続口体と連通する排気開口部を有し送風機を内設した本体枠とを具備し、排気カセットは、平面視で矩形状の側面部から形成されるとともに、この側面部上端縁に凹状に切欠される引掛け部および側面部下端に全周に繋がるフランジ部を備え、本体枠に排気カセットの引掛け部と対向して掛止用孔を設け、排気カセットに対して本体枠を着脱自在に取付ける取付け部材を備え、取付け部材は、ばね材からなり、本体枠掛止用孔を介して排気カセット引掛け部に掛脱自在に挿入される突出部と、本体枠フランジ部に掛止される補助爪部および本体枠フランジ部下面から突出する長さであり本体枠を排気カセットから取外し操作するための手掛け部を有し、本体枠フランジ部下面における取付け部材手掛け部の両側部位に手掛け部よりも下方に突出する長さの支持脚が設けられる。
【００１２】
さらに上記目的を満足するため本発明の換気扇取付け装置は、上記排気カセットと、上記本体枠とを具備し、排気カセットは平面視で矩形状の側面部から形成されるとともに側面部上端縁に凹状に切欠される引掛け部および側面部下端に全周に繋がるフランジ部を備え、本体枠に排気カセットの引掛け部と対向して掛止用孔を設け、排気カセットに対して本体枠を着脱自在に取付ける取付け部材を備え、取付け部材は、ばね材からなり、本体枠掛止用孔を介して排気カセット引掛け部に掛脱自在に挿入される突出部と、本体枠フランジ部に掛止される補助爪部を備え、取付け部材に本体枠フランジ部下面から突出する長さであり本体枠を排気カセットから取外し操作するための解除用金具が設けられ、本体枠フランジ部下面における解除用金具の両側部位に解除用金具よりも下方に突出する長さの支持脚が設けられる。
【００１４】
さらに、取付け部材に解除用金具の許容操作範囲を規制するストッパ部が設けられる。
【００１５】
さらに、取付け部材は略Ｌ字状に形成されその曲げ角は鋭角状である。
【００１７】
さらに、本体枠は取付け部材との対向部位に手添え部が設けられる。
【００１８】
さらに、排気カセットのフランジ部外周端が、本体枠のフランジ部外周端より外方へ突出される。
【００１９】
さらに、本体枠のフランジ部で取付け部材の近傍部位に凹部が設けられ、凹部から排気カセットのフランジ部が部分的に露出される。
【００２０】
上記の課題を解決する手段を備えることにより、被取付け部位に対する取付け作業と取外し作業がごく簡単に行え、かつ確実な取付け固定をなす。
【００２１】
【発明の実施の形態】
以下、本発明の一実施の形態を、図面にもとづいて説明する。
図１および図２は、第１の実施の形態を示す。換気扇装置は、天井板１に直接取付けられる排気カセット２と、この排気カセット２に着脱自在に掛止される本体枠３とから構成される。
【００２２】
上記排気カセット２は、平面視でほぼコ字状の三辺（側面部）からなり、矩形状に形成される天井開口部１ａの四辺に対して三辺が嵌め込まれる。この一側面部には、外方へ突出する接続口体４が一体に設けられていて、ダクト５の一端部が接続される。ダクト５の他端部は家屋の外壁６に設けられる取付け用孔７に嵌め込まれる。
【００２３】
排気カセット２の下端縁に沿ってフランジ部２ａが水平に折曲され、ここに設けられる取付け用孔に木ねじ８が差し込まれ、天井板１に締付け固定される。このときはまだ、ダクト接続口体４にダクト５が接続されず、後述する本体枠３も取付けられていない。しかも、排気カセット２は薄板を折り曲げ加工しただけのほとんど軽量物であるから、取付け作業は少しの負担にもならない。
【００２４】
排気カセット２の接続口体４が設けられる側面部の上端縁は、内側に折り返し折曲された位置決め部２ｂとなっている。この両側の側面部は高さ寸法が上記接続口体４の下端部よりも下方しかなく、そのいずれも上端縁に凹状に切欠される引掛け部９が設けられる。
【００２５】
一方、上記本体枠３には図２では省略し、図１でのみ示す送風機Ｓが、この上面部に取付けられていて、したがって換気扇装置としてのほとんど全ての重量を本体枠３が負担している。
【００２６】
本体枠３は、下面が開口する矩形箱状に形成されていて、平面視の寸法形状は上記排気カセット２が取付けられたあとの天井板開口部１ａにそのまま挿入可能なように設定されている。
【００２７】
この一側面上端縁には上方に突出する片部が一体に設けられていて、組立てられた状態で排気カセット２の位置決め片部２ｂに掛止される。この側面部には排気開口部１０が設けられていて、組立てられた状態で排気カセット２の接続口体４と連通する。
【００２８】
本体枠３の下端縁に沿って水平に折曲されたフランジ部３ａが一体に設けられていて、組立てられた状態で排気カセット２のフランジ部２ａに重なるように寸法設定される。さらに、フランジ部３ａの端縁は上方へ折り返し折曲されていて、排気カセットフランジ部２ａを天井板１に取付ける木ねじ８を折り返し内部に収容して遮蔽するスペースとなっている。
【００２９】
上記本体枠３の、上記排気カセット引掛け部９と対応する側面部には、取付け部材１１が取付けられる。取付け部材１１はばね材から形成されていて、上端部は本体枠３の側面に下方のみ開口して設けられる袋状の差込み部３ｂに差し込まれている。
【００３０】
この差込み部３ｂの下方に所定間隔を存して矩形状の掛止用孔１２が設けられ、上記取付け部材１１の上下方向のほぼ中間部に一体に設けられる突出部１１ａが挿入される。
【００３１】
なお説明すれば、上記掛止用孔１２は上記排気カセット２の引掛け部９と対向する位置に設けられる。したがって、掛止用孔１２から突出する取付け部材１１の突出部１１ａは引掛け部９からも突出し、かつ掛止される。
【００３２】
組立てられた状態で、送風機Ｓを含めた本体枠３の全重量が取付け部材１１を介して排気カセット２にかかり、よって本体枠３と取付け部材１１は排気カセット２に掛止される。
【００３３】
このような組立て状態において、上記取付け部材１１の下端部は本体枠３下端のフランジ部３ａから下方へ突出する。すなわち、本体枠３を排気カセット２に着脱作業する際に取付け部材１１を操作し易い。
【００３４】
なお、図には示していないが、本体枠３の下面開口部は間隙を存して化粧板によって覆われていて、送風機Ｓを駆動することにより、室内空気が天井板１と化粧板との間隙から本体枠３内に導かれ、さらにダクト５を介して家屋の外部へ排気される。
【００３５】
この換気扇取付け装置の天井板１への取付けにあたって、はじめに、排気カセット２を天井板１に取付ける。このとき、片手で排気カセット２を支持し、片手で木ねじ８を締め付けるが、排気カセット２がごく軽量であるので作業が比較的容易で済む。
【００３６】
つぎに、送風機Ｓが取付けられている本体枠３を排気カセット２に差し込み、かつ本体枠３を排気カセット２に対して所定位置に保持した状態で取付け部材１１を取付ける。
【００３７】
すなわち、取付け部材１１の上端部を本体枠３の差込み部２ｂに差し込み、この状態のまま取付け部材１１の弾性を利用して湾曲させ、突出部１１ａを掛止用孔１２と引掛け部９に挿入すれば、取付け作業が終了する。
【００３８】
あるいは、先に取付け部材１１の上端部を差込み部２ｂに差し込み、突出部１１ａを掛止用孔１２から突出させた状態で指で取付け部材１１の落下を阻止し、そのまま本体枠３を排気カセット２に差し込んでもよい。必然的に、取付け部材１１の突出部１１ａが排気カセット２の引掛け部９に掛止して、装置として組立てられることになる。
【００３９】
いずれにしても、換気扇取付け装置の天井板１への取付けにあたって、実質的には取付け部材１１に対する作業だけですみ、施工が簡単であるうえに、装置を確実に取付け固定できる。
【００４０】
また、メンテナンス時など天井板１から換気扇取付け装置を取外すには、本体枠フランジ部３ａから突出する取付け部材１１の下端部である手掛け部ａを内側、すなわち本体枠３の内部側へ押圧して、これを弾性変形させればよい。
【００４１】
取付け部材１１の突出部１１ａは排気カセット２の引掛け部９と本体枠３の掛止用孔１２から抜け出て、排気カセット２に対して本体枠３は自由状態となる。したがって、本体枠３は送風機Ｓの重量の影響で円滑に排気カセット２から抜け出る。
【００４２】
この状態で送風機（換気扇）Ｓに対するメンテナンスが可能となる。また、排気カセット２に対しては必要に応じて取外しすればよい。いずれにしても、換気扇取付け装置の天井板１からの取外し作業にあたって、実質的に取付け部材１１に対する作業だけですみ、作業性がよい。
【００４３】
なお、本発明は以下に述べるような実施の形態が適用される。先に説明した実施の形態と同一部品に付いては同番号を付して新たな説明は省略する。
【００４４】
図３は、第２の実施の形態を示す。
排気カセット２Ａは、平面視で矩形状をなすよう形成されていて、すなわち、接続口体４が突設される側面部ｂ１と対向して、引掛け部９が設けられる側面部ｂ２と同一高さの側面部ｂ３が一体に設けられる。
【００４５】
このことから、排気カセット２Ａ下端のフランジ部２ａも全周に亘って繋がることになり、特に引掛け部９に対するピッチ（寸法）が安定して、取付け部材１１の突出部１１ａを確実に掛止し、よって本体枠３の取付けが確実となる。
【００４６】
図４は、第３の実施の形態を示す。
本体枠３の掛止用孔１２が設けられる側面部で、この下端部は段状に形成される。そして、フランジ部３ａには補助掛止用孔１５が設けられていて、ここに取付け部材１１Ａに設けられる補助爪部１６が掛止される。ただし、先に説明したような上記差込み部３ｂは不要である。
【００４７】
取付け部材１１Ａは略Ｌ字状に形成されていて、一端部は本体枠内側面より外方へ突出した手掛け部ａであり、他端部は本体枠フランジ部３ａの補助掛止用孔１５に引掛けられる上記補助爪部１６となる。
【００４８】
したがって、取付け部材１１Ａの突出部１１ａが掛止用孔１２を介して排気カセット２（２Ａでも可；以下全て同じ）の引掛け部９に掛止するとともに、取付け部材１１Ａの補助爪部１６が本体枠３の補助掛止用孔１５に掛止して、本体枠３は排気カセット２に取付け固定される。
【００４９】
また、排気カセット２から本体枠３を取外すには、図に示すように一方の手指を取付け部材１１Ａの手掛け部ａに当て、他方の手指を本体枠３のフランジ部３ａ外周に当てて、手掛け部ａを内側に押圧付勢する。
【００５０】
取付け部材１１Ａは、本体枠３のフランジ部３ａ内周角部に当接して斜め姿勢になり、突出部１１ａが引掛け部９と掛止用孔１２から抜け出るとともに、補助爪部１６の補助掛止用孔１５との掛合が外れる。すなわち、取付け部材１１Ａの手掛け部ａを本体枠３との間で挟み込んで外方へ変位させるだけで取外すことができ、作業性がさらに良くなる。
【００５１】
また、装置の取付けにあたっては、あらかじめ図のように掛止用孔１２に取付け部材１１Ａを取付けた状態で、本体枠３を排気カセット２に挿入すればよい。このとき、特に手で取付け部材１１Ａを支持しなくても、突出部１１ａと補助爪部１６の２ヶ所で本体枠３に掛止しているので脱落がない。
【００５２】
排気カセット２に対して本体枠３を挿入したとき、掛止用孔１２から突出する取付け部材１１Ａの突出部１１ａが排気カセット２のフランジ部２ａ内周に当接するが、取付け部材１１Ａは弾性変形して突出部１１ａが本体枠３側面部と同一位置まで後退して通過し、所定位置で必然的に突出部１１ａが引掛け部９に掛止する。すなわち、この種の構成によれば、特に取付け部材１１Ａに対する操作が不要で、本体枠３を排気カセット２に挿入すればそのまま取付けられる。
【００５３】
図５は、第４の実施の形態を示す。
基本的な構成は、第３の実施の形態として先に説明したものと略同様であるが、取付け部材１１Ｂに手掛け専用の解除用金具１８が取付けられていて、上述した手掛け部ａは不要である。上記解除用金具１８は剛体からなっていて、本体枠３のフランジ部３ａよりも下方に突出し、安全性を確保するためＵ字状に折り曲げられる。
【００５４】
排気カセット２から本体枠３を取外すには、解除用金具１８と本体枠３のフランジ部３ａ外周に手指を当てて、解除用金具１８を外側に押圧付勢すれば、取付け部材１１Ｂごと斜め姿勢になり、この突出部９が引掛け部９と掛止用孔１２から抜け出るとともに、補助爪部１６と補助掛止用孔１５との掛合が外れる。
【００５５】
本体枠３を排気カセット２に取付けるには、解除用金具１８を取付けた取付け部材１１Ｂを図の位置にセットし、そのまま本体枠３を排気カセット２内に挿入すれば、必然的に本体枠３の取付けがなされる。
【００５６】
図６および図７は、第５の実施の形態を示す。
たとえば先に図５で説明した第４の実施の形態のように、剛体からなる解除用金具１８を取付けた取付け部材１１Ｂが用いられ、ここでは補助爪部１６の近傍にストッパ部１９が設けられることが特徴である。
【００５７】
このストッパ部１９は、上記解除用金具１８の下端曲成部と対向した位置に設けられていて、解除用金具１８と並行して下方に突出する。すなわち、図６は本体枠３が排気カセット２に取付けられた状態を示す。
【００５８】
図７は、解除用金具１８を操作して、本体枠３を排気カセット２から取外しする状態を示す。解除用金具１８が斜めの姿勢になり、ついにはストッパ部１９に衝止される。すなわち、同位置で取付け部材１１Ｂの突出部１１ａと排気カセット２の引掛け部９との掛止状態が解除されて、本体枠３を排気カセット２から抜き出すことが可能となる。
【００５９】
このようにストッパ部１９を設けたので、解除用金具１８を必要以上に回動することがなく、したがって取付け部材１１Ｂと排気カセット引掛け部９との掛止関係が突然解消して本体枠３が脱落する虞れがない。
【００６０】
図８は、第６の実施の形態を示す。
基本的には、補助爪部１６を有する取付け部材１１Ａ，１１Ｂであり、略Ｌ字状に形成される突出部１１ａ下端と補助爪部１６に至る折曲部の曲げ角度が９０°以上の鋭角状に設定されている。
【００６１】
このことから、取付け部材１１Ａ，１１Ｂを本体枠３に取付けた状態で、取付け部材１１Ａ，１１Ｂと本体枠３とのがたつきを防止でき、本体枠３はより確実に排気カセット２に取付け保持される。
【００６２】
図９は、第７の実施の形態を示す。
本体枠３の下端フランジ部３ａに一体に支持脚２０が設けられる。上記支持脚２０は取付け部材１１の近傍位置を選択して備えるとよく、しかも手掛け部ａ（解除用金具１８であってもよい）よりも下方に突出する長さが必要である。
【００６３】
このようにして支持脚２０を設けることにより、製品組立て時や取付け施工時に本体枠３を台Ｄ上に置いても手掛け部ａに負荷がかからずにすみ、変形を確実に防止できる。
【００６４】
図１０に、第８の実施の形態を示す。
たとえば図５で説明した取付け部材１１Ｂを示しているが、これに限定されるものではなく他の取付け部材１１もしくは１１Ａであってもよい（以下、同）。いずれにしても、ここでは本体枠３の下端フランジ部３ａの外周部で、少なくとも解除用金具１８と対向する部位に手添え部３ｃが一体に設けられることが特徴である。
【００６５】
この手添え部３ｃは、フランジ部３ａよりも下方に突出しており、図のように本体枠３を排気カセット２から取出す際に手指が掛け易く、取外し作業性がより向上する。
【００６６】
図１１に、第９の実施の形態を示す。
ここでは、排気カセット２のフランジ部２ａが本体枠３のフランジ部３ａ外周端よりも外方へ突出する外周端２ａ’を備えていることが特徴である。すなわち、開梱時など排気カセット２から本体枠３を取出す際に、取付け部材１１の解除用金具１８を外方に押圧操作しながら、本体枠３のフランジ部３ａよりも外方へ突出する排気カセットフランジ部２ａの外周端２ａ’を押す。したがって、本体枠３を排気カセット２から容易に取外すことができ、作業が容易化する。
【００６７】
図１２は、第１０の実施の形態を示す。
本体枠３のフランジ部３ａで、かつ特に取付け部材１１の近傍位置に内側に凹部２１が設けられ、排気カセット２のフランジ部２ａ一部が露出している。したがって、開梱時に凹部２１から露出する排気カセットフランジ部２ａ一部を押しながら排気カセット２から本体枠３を取外すことができ、作業が容易化する。
【００６８】
さらに、本体枠フランジ部３ａ外周から排気カセット２のフランジ部２ａが突出していないため、天井板１の開口部１ａを本体枠フランジ部３ａに合せて開口する施工方法をとる場合に、開口形状が単純になり施工性がよい。
【００６９】
【発明の効果】
以上述べたように本発明によれば、被取付け部位に対する取付け作業と取外し作業がごく簡単に行えて作業施工性の向上を図ることができ、しかも確実に取付け固定して信頼性の向上を得るなどの効果を奏する。
【図面の簡単な説明】
【図１】本発明の第１の実施の形態を示す、換気扇取付け装置の概略の組立て図。
【図２】同実施の形態の、（Ａ）は換気扇取付け装置の分解図、（Ｂ）は（Ａ）のＢ−Ｂ線に沿う断面図。
【図３】第２の実施の形態の、排気カセットの断面図。
【図４】第３の実施の形態の、取付け部材とその周辺部の断面図。
【図５】第４の実施の形態の、取付け部材とその周辺部の断面図。
【図６】第５の実施の形態の、取付け部材とその周辺部の断面図。
【図７】同実施の形態の、取付け部材の取外しを説明する図。
【図８】第６の実施の形態の、取付け部材の断面図。
【図９】第７の実施の形態の、取付け部材とその周辺部の正面図。
【図１０】第８の実施の形態の、取付け部材とその周辺部の断面図。
【図１１】第９の実施の形態の、換気扇取付け装置の開梱状態を説明する図。
【図１２】第１０の実施の形態の、換気扇取付け装置の天井板取付け図。
【符号の説明】
５…ダクト、
４…接続口体、
１…天井板（被取付け部位）、
２…排気カセット、
１０…排気開口部、
Ｓ…送風機、
３…本体枠、
９…引掛け部、
１２…掛止用孔、
１１…取付け部材、
２ａ…（排気カセットの）フランジ部、
１８…解除用金具、
１９…ストッパ部、
２０…支持脚、
３ｃ…手添え部、
３ａ…（本体枠の）フランジ部、
２１…凹部。
【図１】
0004323027.tif 000002
【図２】
0004323027.tif 000003
【図３】
0004323027.tif 000004
【図４】
0004323027.tif 000005
【図５】
0004323027.tif 000006
【図６】
0004323027.tif 000007
【図７】
0004323027.tif 000008
【図８】
0004323027.tif 000009
【図９】
0004323027.tif 000010
【図１０】
0004323027.tif 000011
【図１１】
0004323027.tif 000012
【図１２】
0004323027.tif 000013